【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
医用画像撮影装置により撮影された時相の異なる複数の断層画像を入力する手段と、
前記入力された時相の異なる複数の断層画像のうちの少なくとも１つの断層画像を表示し、前記入力された複数の断層画像に基づいて決められる所定の管腔臓器領域の共通部分を示す領域を前記断層画像に重畳して表示する手段と、
前記表示された前記共通部分領域の位置情報に基づきその共通部分を前記断層画像から抽出する手段と、
を備えたことを特徴とする医用画像表示装置。
【請求項２】
医用画像撮影装置により撮影された時相の異なる複数の断層画像を入力する手段と、
前記入力された時相の異なる複数の断層画像に基づいて管腔臓器領域の共通部分を抽出する手段と、
前記抽出された管腔臓器領域の共通部分を前記断層画像に重畳して表示する手段と、
を備えたことを特徴とする医用画像表示装置。
【請求項３】
前記断層画像毎の管腔臓器の形状に合うように前記共通部分の輪郭若しくは位置の少なくとも一方の情報を修正する手段を更に備えたことを特徴とする請求項１又は２の何れか一項に記載の医用画像表示装置。
【請求項４】
前記時相の異なる複数の断層画像から操作者が任意の断層画像を選んで表示する手段と、
前記表示された断層画像中の管腔臓器領域内の点の座標を入力する手段と、
前記入力された座標上の管腔臓器領域が抽出済みであるか否かを判定する手段と、
前記判定の結果に対応して、前記管腔臓器についてデータ処理する手段と、
を備えたことを特徴とする請求項１〜３の何れか一項に記載の医用画像表示装置。
【請求項５】
前記データ処理手段は、前記時相の異なる複数の断層画像から、前記入力された座標を含む管腔臓器領域の共通部分を抽出する手段と、
前記抽出された管腔臓器領域の共通部分を各時相の管腔臓器形状に合うように輪郭、位置を修正する手段と、
を備えたことを特徴とする請求項4に記載の医用画像表示装置。
【請求項６】
前記データ処理手段は、前記時相の異なる複数の断層画像のすべてにおいて、前記入力された座標を含む管腔臓器領域と同一の抽出済み管腔臓器領域を抽出結果から削除する手段を備えたことを特徴とする請求項4に記載の医用画像表示装置。
【請求項７】
医用画像撮影装置により撮影された時相の異なる複数の断層画像を入力する工程と、
前記入力された時相の異なる複数の断層画像のうちの少なくとも１つの断層画像を表示し、前記入力された時相の異なる複数の断層画像に基づいて決められる所定の管腔臓器領域の共通部分を示す領域を前記断層画像に重畳して表示する工程と、
前記表示された前記共通部分領域の位置情報に基づきその共通部分を前記断層画像から抽出する工程と、
を含むことを特徴とする医用画像表示方法。
【請求項８】
医用画像撮影装置により撮影された時相の異なる複数の断層画像を入力する工程と、
前記入力された時相の異なる複数の断層画像を用いて管腔臓器領域の共通部分を抽出する工程と、
前記抽出された管腔臓器領域を前記断層画像に重畳して表示する工程と、
を含むことを特徴とする医用画像表示方法。
【請求項９】
前記断層画像毎の管腔臓器の形状に合うように前記共通部分の輪郭若しくは位置の少なくとも一方の情報を修正する工程を更に含むことを特徴とする請求項７又は８の何れか一項に記載の医用画像表示方法。
【手続補正２】
【補正対象書類名】明細書
【補正対象項目名】０００５
【補正方法】変更
【補正の内容】
【０００５】
上記目的は、医用画像撮影装置により撮影された時相の異なる複数の断層画像を入力する手段と、
前記入力された時相の異なる複数の断層画像のうちの少なくとも１つの断層画像を表示し、前記入力された複数の断層画像に基づいて決められる所定の管腔臓器領域の共通部分を示す領域を前記断層画像に重畳して表示する手段と、前記表示された前記共通部分領域の位置情報に基づきその共通部分を前記断層画像から抽出する手段と、を備えたことで達成される。
【手続補正３】
【補正対象書類名】明細書
【補正対象項目名】０００６
【補正方法】変更
【補正の内容】
【０００６】
また、医用画像撮影装置により撮影された時相の異なる複数の断層画像を入力する手段と、前記入力された時相の異なる複数の断層画像に基づいて管腔臓器領域の共通部分を抽出する手段と、前記抽出された管腔臓器領域の共通部分を前記断層画像に重畳して表示する手段と、を備えたことで達成される。
【手続補正４】
【補正対象書類名】明細書
【補正対象項目名】０００８
【補正方法】変更
【補正の内容】
【０００８】
また、前記時相の異なる複数の断層画像から操作者が任意の断層画像を選んで表示する手段と、
前記表示された断層画像中の管腔臓器領域内の点の座標を入力する手段と、
前記入力された座標上の管腔臓器領域が抽出済みであるか否かを判定する手段と、
前記判定の結果に対応して、前記管腔臓器についてデータ処理する手段と、
を備えてもよい。
【手続補正５】
【補正対象書類名】明細書
【補正対象項目名】０００９
【補正方法】変更
【補正の内容】
【０００９】
また、前記データ処理手段は、前記時相の異なる複数の断層画像から、前記入力された座標を含む管腔臓器領域の共通部分を抽出する手段と、前記抽出された管腔臓器領域の共通部分を各時相の管腔臓器形状に合うように輪郭、位置を修正する手段と、を備えてもよい。
【手続補正６】
【補正対象書類名】明細書
【補正対象項目名】００１０
【補正方法】変更
【補正の内容】
【００１０】
また、前記データ処理手段は、前記時相の異なる複数の断層画像のすべてにおいて、前記入力された座標を含む管腔臓器領域と同一の抽出済み管腔臓器領域を抽出結果から削除する手段を備えてもよい。
【手続補正７】
【補正対象書類名】明細書
【補正対象項目名】００１１
【補正方法】変更
【補正の内容】
【００１１】
また、医用画像撮影装置により撮影された時相の異なる複数の断層画像を入力する工程と、前記入力された時相の異なる複数の断層画像のうちの少なくとも１つの断層画像を表示し、前記入力された時相の異なる複数の断層画像に基づいて決められる所定の管腔臓器領域の共通部分を示す領域を前記断層画像に重畳して表示する工程と、前記表示された前記共通部分領域の位置情報に基づきその共通部分を前記断層画像から抽出する工程と、を含むことで達成される。
【手続補正８】
【補正対象書類名】明細書
【補正対象項目名】００１２
【補正方法】変更
【補正の内容】
【００１２】
また、医用画像撮影装置により撮影された時相の異なる複数の断層画像を入力する工程と、前記入力された時相の異なる複数の断層画像を用いて管腔臓器領域の共通部分を抽出する工程と、  前記抽出された管腔臓器領域を前記断層画像に重畳して表示する工程と、を含むことで達成される。
【手続補正９】
【補正対象書類名】明細書
【補正対象項目名】００１３
【補正方法】変更
【補正の内容】
【００１３】
また、医用画像撮影装置により撮影された時相の異なる複数の断層画像を入力する工程と、前記入力された複数枚の断層画像のうちの少なくとも1つの断層画像を表示する工程と、前記入力された時相の異なる複数の断層画像に基づいて決められる所定の管腔臓器領域の共通部分を示す領域を前記断層画像に重畳して表示する工程と、前記表示された前記共通部分領域の位置情報に基づきその共通部分を前記断層画像から抽出する工程と、を含むことによって達成される。